(57)【要約】【課題】  長年の使用による押鍵時の感触の変化を簡易な方法で阻止するための部材を提供すること。【解決手段】    鍵の押鍵に伴って作動し、ハンマーを回動させることにより打弦を行わせるピアノのアクション機構に使用される補填部材であって、当該補填部材は、押鍵時の力をハンマーまで伝達する動力伝達部分のうち、アクション機構を構成する部材同士の接触によって変形した変形部分を補填して復元する形状に形成されていることを特徴とするピアノのアクション機構用の補填部材を提供する。【選択図】図２
0003130084.tif 000002
【実用新案登録請求の範囲】
【請求項１】
鍵の押鍵に伴って作動し、ハンマーを回動させることにより打弦を行わせるピアノのアクション機構に使用される補填部材であって、
当該補填部材は、押鍵時の力をハンマーまで伝達する動力伝達部分のうち、アクション機構を構成する部材同士の接触によって変形した変形部分を補填して復元する形状に形成されていることを特徴とするピアノのアクション機構用の補填部材。
【請求項２】
前記補填部材は、ピアノのアクション機構を構成するウィペンの底面に設けられるウィペンヒールクロスに添設されるものであり、押鍵時の動作によってウィペンヒールクロスに生じた窪みの深さとほぼ同じ厚さを有し、且つ当該窪みと略同じか或いは該窪みよりも小さい平面形状に形成される、請求項１に記載の補填部材。
【請求項３】
前記補填部材はウィペンの底面に設けられるウィペンヒールクロスとウィペンヒールアンダークロスとの間に挿入され、
当該補填部材におけるウィペンヒールアンダークロスに対向する面は、少なくとも１つ以上の突起が形成されている請求項２に記載の補填部材。
【請求項４】
前記補填部材は、押鍵時の動作をハンマーシャンクに伝えるシャンクローラーに設置されるものであり、
当該シャンクローラーにおけるレペティションレバーとの接触領域に設けられ、且つ押鍵時の動作によって変形したシャンクローラーの薄肉部を補填する大きさ及び形状に形成される請求項１に記載の補填部材。
【請求項５】
前記補填部材は、シャンクローラーを構成しているハンマーローラークロスとハンマーローラースキンとの間に挿入され、
当該補填部材におけるハンマーローラークロスに対向する面には、少なくとも１つ以上の突起が形成されている請求項４に記載の補填部材。
【請求項６】
押鍵動作によってハンマーを回動させるピアノのアクション機構であって、
請求項１〜５の何れか一項に記載の補填部材が使用されているピアノのアクション機構。
【考案の詳細な説明】
【技術分野】
【０００１】
本考案はピアノのアクション機構に使用可能な部品に関し、特にウィペンヒールクロスに添設（添うように設けられる）されるか、あるいはシャンクローラーに設置されるなどの補填部材に関する。
【背景技術】
【０００２】
従来ピアノのアクション機構は、長年の使用において調整や修理を要する事が知られている。即ち、ピアノのアクション機構は、押鍵時の動作によ基づいてハンマーを回動させるものであることから、押鍵時の動力を伝達する過程において部材同士の接触や衝突が生じ、それによって当該接触乃至衝突する領域が窪んでしまうことがある。
このような場合、従来のピアノの調整又は修理方法では消耗した部品を交換することにより対処しているのが実情である。
例えば、ピアノのアクション機構の修理に際して、押鍵時にキャプスタンと接触するウィペンヒールクロスの交換が必要になることもある。即ち、周知のように、ピアノのキャプスタンは、各鍵盤の後部上面に設けられ、載置したアクションを押鍵時に突き上げて駆動することにより、ハンマーを回動させて、打弦を行わせるものである。
【０００３】
かかるピアノのアクション機構を明らかにするために、先ず、従前のピアノの構造を最初に示すと、例えばグランドピアノの場合は、図６に示すように、演奏者の操作によって揺動する鍵盤１０５と、鍵盤１０５が押されるとバランスピン１０７の下方を支点として上昇するキャプスタンスクリュー１２と、ウィペンフレンジ１１３を介してウィペンレール１１４に回動可能に支持され、キャプスタンスクリュー１２の上昇によって上向きに回動するウィペン１１５と、ウィペン１１５に回動可能に連結され、レギュレチングボタン１１６に当接するまでウィペン１１５と共に上昇するジャック１１７と、ジャック１１７に当接し、ジャック１１７に突き上げられると分離するシャンクローラー１１８と、シャンクフレンジ１１９を介してシャンクレール１２０に回動可能に支持され、シャンクローラー１１８が突き上げられると上向きに回動するハンマーシャンク１２１と、ハンマーシャンク１２１の先端に装着され、ハンマーシャンク１２１の回動により上方に移動して弦１２５を叩くハンマー１２３とから構成されている。
【０００４】
そしてキャプスタン１２は、上記図６に示すように鍵盤とアクションの間の距離が比較的小さい場合（グランドピアノなど）には、その下方に下垂するねじ部を鍵盤１０５の上面後方の所定位置にねじ込むことによって鍵盤１０５に取り付けられており、一方、鍵盤とアクションの間の距離が比較的大きい場合（アップライトピアノなど）には、図７に示すように、各鍵盤１０５の後部上面から上方に突出するポストワイヤー１５２を設け、このポストワイヤー１５２の上端部にキャプスタンボタン１２をねじ込む事により取りつけられている。なお図７中、図６と同じ機能を有する部材については、同一符号を付して、その構造に関する説明を省略する。
【０００５】
このキャプスタンスクリューは、通常、真鍮製もしくは鉄メッキ製であり、またキャプスタンボタンは、通常、合成樹脂または木製であり、そのままではウィペン１１５との滑りが悪く、またウィペンとの当接部分であるヘッドが傷付いてしまう事などからノイズが発生しまうことになる。そこで従来では、ウィペン１１５のうち、これらキャプスタンスクリューやキャプスタンボタン（以下、キャプスタンと称する）１２のヘッドと接触する部分には、当該キャプスタンヘッドとの滑りを良くし、ノイズの発生を抑えるためにフェルトやクロス等の布帛からなるウィペンヒールクロス１５０が設けられている。
【０００６】
そして上記ウィペンヒールクロス１５０が、キャプスタンとの接触により凹んでしまった場合には、また新たなウィペンヒールクロス１５０を設置しなければならず、そのためには、先ずはキャプスタンの上に設けられるアクションを取り外さなけなければならないことから、その作業量、作業時間ともに膨大なものとなっている。
【０００７】
先行する特許文献１には、ウィペンのヒール部およびこれに連なる本体部の中央部に、鍵の突き上げ力による曲げ荷重が直接、作用することが記載されている。しかしながら、この特許文献１は高剛性と軽量化を両立させ、それにより、ピアノの音量を十分に得ることができるとともに、アクションの応答性を向上させることができるピアノのウィペンを提供することを課題とするもので、長年の使用により生じるウィペンヒールクロスの凹みやその補修については何等着目されていない。
【０００８】
また、特許文献２には、耐久性を向上させることができるとともに、スティックを生じることなく打弦動作を確実に行うことができるグランドピアノのハンマー装置が開示されている。しかしながら、この特許文献２で提案されているハンマーシャンクは、乾湿などの影響による変形によりフレンジに対するがたつきを抑制するものであり、変形が生じた後の補修を問題とするものではない。
【特許文献１】特開２００４−３４７８１５号公報
【特許文献２】特開２００１−３４３９７１号公報
【考案の開示】
【考案が解決しようとする課題】
【０００９】
上記のキャプスタンとウィペン（より具体的にはウィペンヒールクロス）との接触は、押鍵時の動作をアクションに伝えるものであり、両者の接触具合は押鍵時の感覚に直接影響を与える重要なものである。併しながら、従前においては、単にキャプスタンの滑り性の向上について検討されているだけで、その機能及び取り扱い性を良好にするための手段や、長年の使用による変形に対して簡易に対処する方法乃至手段に就いては何ら検討されていないのが実情である。
【００１０】
よって本考案は、ピアノのアクション機構における動力伝達経路に存在する部材同士の係わり合いの重要性を再認識した上で、押鍵時の感覚を最適な状態にすることができ、かつこれを簡易に行うことのできる部材を提供することを課題とする。なお、押鍵時の感覚を最適な状態にするとは、演奏者の好みに適合するようにすることを意味するものであり、即ち、押鍵時の感覚を適宜調整できるようにすることを意味する。
【００１１】
また、キャプスタンはそのヘッドの上面（ウィペンヒールクロスに当接する部分）が緩やかな曲面に形成されており、ウィペンの内のキャプスタンヘッドと接触する部分には滑りを良くし、ノイズの発生を抑えるための布帛からなるウィペンヒールクロスが設けられている。このような構成において、ウィペンヒールクロスは長年の使用により、キャプスタンヘッドとの当接で窪んでしまうことがあり、その結果、引っ掛かりが生じて、押鍵時の感触を変化させてしまう可能性がある。
【００１２】
よって本考案は、このような長年の使用による押鍵時の感触の変化を簡易な方法で阻止するための部材を提供することを課題とする。
【００１３】
また、本考案は上記キャプスタンとの接触によるウィペンヒールクロスの窪みの発生を削減すると共に、更にこのような窪みが生じた場合であっても、簡易に補修乃至復元することのできる部材を提供することを課題とする。
更に本考案は、上記キャプスタン近傍のみならず、ピアノにおけるアクション機構の劣化乃至磨耗を簡易な方法で修理することのできる部材および方法を提供するものである。
【課題を解決するための手段】
【００１４】
上記課題を解決するために、本考案では、長年の使用によってアクション機構を構成する部品にが変形乃至は磨耗した場合に、これを簡易に補修することのできるピアノのアクション機構用の補填部材を提供するものである。
すなわち、本考案では鍵の押鍵に伴って作動し、ハンマーを回動させることにより打弦を行わせるピアノのアクション機構に使用される補填部材であって、当該補填部材は、押鍵時の力をハンマーまで伝達する動力伝達部分のうち、アクション機構を構成する部材同士の接触によって変形（磨耗を含む）した変形部分を補填して復元する形状に形成されていることを特徴とするピアノのアクション機構用の補填部材を提供する。
例えば、補填部材はウィペンヒールクロスに既に窪みが生じてしまった場合に、これを簡易に補修することのできる部材として提供することができる。
【００１５】
即ち、ウィペンの底面に設けられるウィペンヒールクロスに添う様に設けられる補填部材であり、当該補填部材は、押鍵時の動作によってウィペンヒールクロスに生じた窪みの深さとほぼ同じ厚さを有し、且つ当該窪みと略同じ平面形状に形成される補填部材である。
【００１６】
かかる補填部材は、ウィペンの底面に設けられるウィペンヒールクロスに生じた窪みを埋めるように配置することもできるが、望ましくは当該ウィペンヒールクロスとウィペンヒールアンダークロスとの間に挿入して設置される。このようにウィペンヒールクロスの裏側に挿入して使用する場合には、当該補填部材の移動を阻止するため、補填部材におけるウィペンヒールアンダークロスに対向する面には、少なくとも１つ以上の突起を形成することが望ましい。この突起は、設置時においてウィペンヒールアンダークロスに食い込んで、当該補填部材の移動を阻止することができる。
【００１７】
上記補填部材をウィペンヒールクロスとウィペンヒールアンダークロスとの間に挿入することにより、ウィペンヒールクロスの窪みは持ち上げられ、当該使用に伴う劣化を解消することができる。
【００１８】
かかる補填部材の設置は、長年の使用によってウィペンヒールクロスに窪みが生じてしまった時であり、当該補填部材を前記のように装着することにより、その後における劣化を極力回避することができる。
【００１９】
また、本考案では前記課題を解決するため、押鍵時の動作をハンマーシャンクに伝えるシャンクローラーに設置される補填部材であり、当該補填部材は、当該シャンクローラーにおけるレペティションレバーとの接触領域に設けられ、且つ押鍵時の動作によって変形したシャンクローラーの薄肉部を補填する大きさ及び形状に形成される補填部材を提供する。
【００２０】
上記補填部材は、長年の使用においてレペティションレバーとの接触により生じたシャンクローラーにおける窪みを埋めるものであり、予め所定の形状に形成されたものを設置する他、当該窪みに充填した後硬化させるもの（例えば、パテ材料など）であっても良い。
【００２１】
上記本考案にかかる補填部材や補填部材を使用することにより、長年の使用により変形乃至磨耗した部材の交換の必要を無くして補修することができ、よってピアノ（特にアクション機構）の補修作業を容易に行うことが可能になる。
【００２２】
上記本考案にかかる補填部材は、金属、樹脂、セラミック、磁性体など各種の材料を用いて形成することができ、また金属とセラミックスや、金属と樹脂、或いは樹脂とセラミックスのように、任意の材質を組み合わせて使用することもできる。特に、合成樹脂を使用することにより、アクション機構を構成する部材における質量の変化を無くすことができ、これにより押鍵時における感覚の変化をなくすことができる。また、磁性体を使用すれば、当該補填部材の装着又は非装着を容易に確認することができると共に、金属製のキャプスタンなどとの密着性（磁力による一体性）を向上させることができる。このような磁性体としては、磁性を帯びた金属や、樹脂又はセラミックスに磁性粉を混練することにより形成することができる。そして上記補填部材及び補填部材は、何れか一方の端面がレンズ状に湾曲して突起するものとして形成する他、特にこのような湾曲面を有しない板状に形成することもできる。
【００２３】
更に本考案では、上記補填部材を使用したピアノのアクション機構の修理又は調整を伴うピアノの補修・調整方法を提供する。
即ち、ピアノのアクション機構の修理又は調整を伴うピアノの補修・調整方法であり、
当該調整方法は、少なくとも以下の（１）又は（２）の何れかの工程を伴うピアノの補修・調整方法である。
（１）ウィペンの底面に設けられるウィペンヒールクロスに対して、請求項２又は３に記載の補填部材を添設する工程。
（２）押鍵時の動作をハンマーシャンクに伝えるシャンクローラーに対して、請求項４又は５に記載の補填部材を添設する工程。
以下、具体的な実施の形態に基づき、本考案にかかるピアノのアクション機構用の補填部材や、これを用いたピアノの調整方法を具体的に説明する。
【考案を実施するための最良の形態】
【００２４】
以下、本考案の実施の形態を添付図面を参照して説明する。
【００２５】
〔実施の形態１〕
図１は望ましい補填部材７０の実施の形態を示しており、これらは図２に示すように、長年の使用によってウィペンヒールクロス１５０に生じた窪みを補修する為に使用される。図１中、（Ａ）及び（Ｂ）は夫々異なる態様の補填部材を示しており、また図２中の（Ａ）はウィペンヒールクロス１５０に窪みが生じたい状態を、（Ｂ）はこの窪みを補正した状態を示している。
【００２６】
即ち、本実施の形態にかかる補填部材７０は、例えば図１（Ａ）の断面斜視図に示すように円盤状であって、一方の端面（図１（Ａ）中の下方の面）が曲面に形成し、他方の端面が突起部を有する平面に形成するか、或いは図１（Ｂ）の断面斜視図に示すように、円形の平板部材として形成することができる。このような補填部材７０は、ウィペンヒールクロス１５０に生じる窪みの大きさ、即ちキャプスタンヘッド１２との接触面積に応じて適宜調整されるべきであり、望ましくは生じた窪みよりも僅かに小さい径で、窪みの最深部を当初の位置まで持ち上げるよう大きさに形成される。例えば、本実施の形態における図１（Ａ）に示す補填部材７０は、直径約２〜１０ｍｍ、望ましくは４〜６ｍｍで、最も厚く形成されている中心部の肉厚は約０．２〜２ｍｍ、望ましくは０．５〜１ｍｍで、最も薄く形成されている周縁部の肉厚は１ｍｍ以下、望ましくは０．２〜０．７ｍｍに形成することができる。また、図１（Ｂ）に示す補填部材７０は、直径約０．５〜１０ｍｍ、望ましくは１〜５ｍｍで、肉厚０．１〜２ｍｍ、望ましくは０．３〜０．８ｍｍに形成することができる。また、補填部材７０をこのような大きさに形成する場合、製造容易性を考慮すれば特に合成樹脂を用いて形成することが望ましい。また合成樹脂（例えば、商品名「ジュラコン」：ポリプラスチックス株式会社製）を用いて製造することにより、当該補填部材７０の軽量化を図ることができ、押鍵時の感触の変化を極力少なくすることができる。
なお、上記した補填部材７０の大きさはその一例を示すものであり、ウィペンヒールクロス１５０に生じる窪みの大きさに応じて適宜調整されるべきである。かかる窪みの大きさや深さは、キャプスタンヘッド１２との接触面積、即ちキャプスタンの大きさやその曲率、および各ピアノの使用期間に応じて異なることから、予め様々な形状、大きさのものを形成しておき、使用時において適宜選択するようにすることが望ましい。また、当該補填部材７０を磁性体で形成した場合には、キャプスタンヘッド１２と磁力によって密着性を高めることができることから望ましい態様となる。
【００２７】
また、平坦な側の面に形成される突起７１は、その先端が尖っていることが望ましい。後述のようにこの補填部材７０がウィペンヒールクロス１５０とウィペンヒールアンダークロス１５１との間に配置される場合には、この突起７１をウィペンヒールアンダークロス１５１に食い込ませることで確実に固定できるようにする為である。かかる突起は、前記した大きさの補填部材であれば、例えば直径約１ｍｍ程度で、約０．３ｍｍ程度突起する様に形成することができる。ただし、この突起７１の大きさや突起する長さは、これがスパイク状に食い込む相手の材質によって異なることから、予め様々な大きさのもの用意しておき、使用する際に適宜選択することが望ましい。また、この突起は本実施の形態では中心に１つ形成した態様を示しているが、その他にも２つ以上を等間隔に配置して形成することも当然可能である。
【００２８】
更に、この補填部材７０は本実施の形態の図１（Ａ）及び（Ｂ）に示すような円盤形状のみならず、平面形状が、略楕円形状、正方形、矩形、その他の多角形に形成することもでき、更に窪みの形状に合わせて不規則な形状に形成することも当然可能である。ただし、設置時の容易性や一般的な窪みの形状を考慮すれば本実施の形態に示すような円盤形状に形成するのが望ましい。また、本実施の形態に示す補填部材７０は、周方向に一定の高さを有する周壁面を有して形成されている。これは樹脂を用いて製造する時の製造容易性のみならず、ウィペンヒールクロス１５０とウィペンヒールアンダークロス１５１との間に配置する際の利便性を考慮したものである。即ち、このような鉛直に立設する壁面７２を形成することにより、ウィペンヒールクロス１５０とウィペンヒールアンダークロス１５１との間に差し入れる際の操作部分として利用することができ、この壁面７２を押しながら差し入れることにより、意図した位置に設置することができる。また、以上の様に形成されている補填部材７０は、窪みが生じている箇所に容易に設置できる上、更にその取り外しも容易に行うことができる。仮にこのような壁面７２が形成されていない場合には、ウィペンヒールクロス１５０とウィペンヒールアンダークロス１５１との間に差し入れる際、その押し込み動作が困難になるためである。
【００２９】
以上のように形成された補填部材７０は、図２に示すように、キャプスタンによる押し上げ動作によって生じた窪みを補正する為に設置される。かかる補填部材７０は、本実施の形態において、ウィペンヒールクロス１５０とウィペンヒールアンダークロス１５１との間に差し入れて配置されている。差し入れられた補填部材７０は、その平坦面側に形成された突起部がウィペンヒールアンダークロス１５１に圧入することから、その後の使用において、即ちキャプスタンによる押し上げ動作が繰り返して行われても、意図しない場所に移動してしまうことのない補填部材７０となっている。よって、このような突起が形成された補填部材７０は、特にウィペンヒールクロス１５０とウィペンヒールアンダークロス１５１との間に配置して使用するのに適した補填部材７０となっている。特に、かかる位置に配置した場合、キャプスタンは、この補填部材７０を設置する前と同じくウィペンヒールクロス１５０に接触することから、両者の摩擦抵抗の変化をなくすことができる。
【００３０】
更に、上記のようにウィペンヒールクロス１５０の裏側に補填部材７０を配置する際には、当該ウィペンヒールクロス１５０は発生した窪みの領域において十分に圧縮されていることから、補填部材７０により補正した後においては更に窪みが発生する恐れはなく、長年の使用にも十分耐え得るものとなる。
また、本考案にかかる補填部材は、質量変化や摩擦抵抗の変化によって、敏感に押鍵時の感覚が変化するアクション機構を構成する部材に使用されるものであり、このような質量変化や摩擦抵抗の変化を生じさせること無く、かつ部材同士の衝突時における弾性変化も無くすことができる様に構成されていることから、特にピアノのアクション機構用の補填部材として提供されることになる。
【００３１】
〔実施の形態２〕
図３〜７は、シャンクローラー１１８に生じた窪み（変形）を埋めるように形成された補填部材９０を説明するための図面である。
【００３２】
先ず、かかるシャンクローラー１１８の機能を図３及び６に基づいて説明すると、図６に示すように、押鍵によってバランスピン１０７の下方を支点としてキャプスタンスクリュー１２が上昇し、これによりウィペンフレンジ１１３を介してウィペンレール１１４に回動可能に支持されるウィペン１１５を上向きに回動させる。このウィペン１１５の回動に伴って、当該ウィペン１１５に回動可能に連結されるジャック１１７が上昇し、シャンクローラー１１８を突き上げる（図３及び６）。そして図３に示すように、シャンクローラー１１８と一体化されているハンマーシャンク１２１が上向きに回動し、その先端に装着されるハンマー１２３で弦１２５を叩く。
【００３３】
そして押鍵時には、上記のような動作が繰り返し行われ、当該シャンクローラー１１８は、押鍵ごとにレペティションレバー１３１と接触することから、その結果、当該シャンクローラー１１８が圧縮乃至変形し、当該接触部分に肉薄になった部分（即ち薄肉部）が生じることになる。
【００３４】
そこで本実施の形態では、このような変形乃至磨耗したシャンクローラー１１８を初期の状態に復元するべく、補填部材９０を設置するものである。
【００３５】
即ち、従来提供されているシャンクローラー１１８は、円柱状に形成されたハンマーローラークロス１１８ｂと、その外周面を覆うように設けられたハンマーローラースキン１１８ａとで構成されていることから、本実施の形態では、図４に示すように、長年の使用により圧縮乃至磨耗等により薄くなった場合（図４（Ｂ））には、その薄くなっている部分における、ハンマーローラークロス１１８ｂとハンマーローラースキン１１８ａとの間に補填部材９０を設置し（図４（Ｃ））、初期の状態（図４（Ａ））に補正するものである。
【００３６】
このような補填部材９０は、例えば図５（Ｂ）及び（Ｃ）に示すように、中央部を肉厚にした瓦状（断面が三日月形状の柱体）に形成したり、図５（Ｄ）に示すように板状に形成することができる。特に中央部を肉厚にした瓦状に形成した補填部材９０は、ハンマーローラークロス１１８ａとハンマーローラースキン１１８ｂとの間に設置される所、少なくともハンマーローラースキン１１８ｂに接する下面が湾曲形状であり、その反対側の上面には、ハンマーローラークロス１１８ａに食い込む、１つ又は２つ以上の突起９１を形成することができる。上面に形成する突起９１は、図５に示すように１つであってよく、また２つ又は３つ以上を所定の間隔（例えば等間隔）に配置することもできる。特にこの補填部材９０は、図５に示すように、上面よりも下面の曲率を大きくした三日月形の端面を有する柱形状に形成することが望ましく、またその上面には１つ又は２つ以上の突起９１を形成することが望ましい。また、板状に形成した補填部材９０は、少なくともシャンクローラー１１８の幅と略同じ長さを有する部材として形成することができ、その幅は適宜調整することができる。特にかかる補填部材９０の幅が狭い場合、当該補填部材９０は殆ど棒状の性状を成すことになる。このような棒状の補填部材９０は、圧縮乃至磨耗等により薄くなった部分の形状にあわせて、複数を組み合わせて使用することもできる。
【００３７】
そして、かかる補填部材９０は、図５（Ｂ）に示すように、上面と下面とが直接交差するように形成する他、図５（Ｃ）に示すように、曲面の中心軸に沿う向きの側面９２を形成することもできる。また図５（Ｄ）に示すように板状に形成して、側面９２を備えるように形成することもできる。特に側面９２を形成した場合、補填部材９０を設置する際、当該側辺を押しながら補填部材９０の設置位置を調整できることから望ましい態様となる。
【００３８】
また、当該補填部材９０は、ジュラコン（登録商標）などのような、適宜機械的強度の高い樹脂材料を用いて形成する他、その他の樹脂材料、金属材料、あるいは磁性体などを用いて形成することができる。特に合成樹脂を用いて形成する場合には、重量増加を極力なくすことができ、また製造上の観点からも望ましいものとなる。また、磁性体を有する材料で形成した場合には、磁力の有無を確認することにより、当該補填部材９０を既に設置しているか否かを容易に確認することができる。これは、当該補填部材９０を所定箇所に設置した後においては、これを外部から確認することが困難であるので、当該補填部材９０の設置の有無を確認するのに有効な手段となる。
【００３９】
以上のように構成された補填部材９０を使用すれば、長年の使用によりシャンクローラー１１８におけるレペティションレバー１３１との接触面が薄くなった場合であっても、当該シャンクローラー１１８の交換を要せずして、当該補填部材９０を設置するだけで簡易に補修することができる。よって、保守作業を簡易に行うことができるのみならず、補修作業に要する費用を大幅に削減することも出来る。
【００４０】
更に、上記補填部材９０は、ハンマーローラークロス１１８ａとハンマーローラースキン１１８ｂとの間に挿入されるものとして形成されており、レペティションレバー１３１との接触は、従前の通りハンマーローラースキン１１８ｂによって行われることから、押鍵時の感触も初期の通り（新品の状態における押鍵時の感触）に維持することができる。
なお、上記のピアノのアクション機構用の補填部材は、アップライトピアノ、及びグランドピアノのいずれにおいても実施することができ、またこれらは上記した実施の形態に限定されるものではなく、本考案の要旨を逸脱しない範囲内において種々変更するこが可能である。
【図面の簡単な説明】
【００４１】
【図１】実施の形態１にかかる補填部材を示す断面図である。
【図２】図１に示した補填部材で窪みを補修する状態を示す略図である。
【図３】実施の形態２にかかる補填部材の機能を示す略図である。
【図４】図５に示す補填部材で窪みを補修する状態を示す略図である。
【図５】実施の形態２にかかる補填部材を示す略図である。
【図６】グランドピアノのアクション機構の説明図である。
【図７】アップライトピアノのアクション機構の説明図である。
【符号の説明】
【００４２】
４  ネジ足
６  キャプスタンのヘッド
６ａ  ヘッドの上面
１２  キャプスタン
５０  キャップ部材
５１  受容部
５２  外周壁
５２  周壁部
５３  底面
５４  内周壁
５６  上面
７０  補填部材
９０  補填部材
１０５  鍵盤
１０７  バランスピン
１１５  ウィペン
１１８  シャンクローラー
１５０  ウィペンヒールクロス
Ｘ  作用点（接点）
Ｙ  支点
【図１】
0003130084.tif 000003
【図２】
0003130084.tif 000004
【図３】
0003130084.tif 000005
【図４】
0003130084.tif 000006
【図５】
0003130084.tif 000007
【図６】
0003130084.tif 000008
【図７】
0003130084.tif 000009
【手続補正書】
【提出日】平成19年1月15日(2007.1.15)
【手続補正１】
【補正対象書類名】実用新案登録請求の範囲
【補正対象項目名】全文
【補正方法】変更
【補正の内容】
【実用新案登録請求の範囲】
【請求項１】
鍵の押鍵に伴って作動し、ハンマーを回動させることにより打弦を行わせるピアノのアクション機構に使用される補填部材であって、
当該補填部材は、押鍵時の力をハンマーまで伝達する動力伝達部分のうち、アクション機構を構成する部材同士の接触によって変形した変形部分を補填して復元するように、当該変形部分である窪みの深さとほぼ同じ厚さで、且つ当該窪みと略同じか或いは該窪みよりも小さい平面形状に形成されるか、又は変形した薄肉部を補填する大きさの瓦状又は板状に形成されていることを特徴とするピアノのアクション機構用の補填部材。
【請求項２】
前記補填部材は、ピアノのアクション機構を構成するウィッペンの底面に設けられるウィペンヒールクロスに添設されるものであり、押鍵時の動作によってウィペンヒールクロスに生じた窪みの深さとほぼ同じ厚さを有し、且つ当該窪みと略同じか或いは該窪みよりも小さな円盤状又は円形に形成される、請求項１に記載の補填部材。
【請求項３】
前記補填部材はウィッペンの底面に設けられるウィペンヒールクロスとウィペンヒールアンダークロスとの間に挿入され、
当該補填部材におけるウィペンヒールアンダークロスに対向する面は、少なくとも１つ以上の突起が形成されている請求項２に記載の補填部材。
【請求項４】
前記補填部材は、押鍵時の動作をハンマーシャンクに伝えるシャンクローラーに設置されるものであり、
当該シャンクローラーにおけるレペティションレバーとの接触領域に設けられ、且つ押鍵時の動作によって変形したシャンクローラーの薄肉部を補填する大きさ及び形状に形成される請求項１に記載の補填部材。
【請求項５】
前記補填部材は、シャンクローラーを構成しているハンマーローラークロスとハンマーローラースキンとの間に挿入され、
当該補填部材におけるハンマーローラークロスに対向する面には、少なくとも１つ以上の突起が形成されている請求項４に記載の補填部材。
【請求項６】
押鍵動作によってハンマーを回動させるピアノのアクション機構であって、
請求項１〜５の何れか一項に記載の補填部材が使用されているピアノのアクション機構。